(57)【特許請求の範囲】
【請求項１】
現用ホームロケーションレジスタと、
待機ホームロケーションレジスタと、
ビジターロケーションレジスタと、
移動交換機と、
移動端末と、を具備する移動通信システムにおいて、
現用ホームロケーションレジスタの障害により待機ホームロケーションレジスタへ切替えられた際に、
前記待機ホームロケーションレジスタは、ビジターロケーションレジスタに送出したルーチング情報取得メッセージに対して対応する移動端末が在圏しない旨の応答メッセージを受信すると、他のビジターロケーションレジスタに対してルーチング情報の取得処理を行う再ルーチング情報取得部を有することを特徴とする移動通信システム。
【請求項２】
前記再ルーチング情報取得部は、
再ルーチングを行う他のビジターロケーションレジスタの選択処理を行うビジターロケーションレジスタ選択部と、
選択されたビジターロケーションレジスタとの間でルーチング情報の取得処理を行う再ルーチング情報取得処理部と、を有する請求項１記載のシステム。
【請求項３】
前記再ルーチング情報取得部は、さらに
ルーチング情報取得の要求元に対して再ルーチング情報取得処理のために必要な時間の延長を要求するタイマー延長要求処理部、を有する請求項１記載のシステム。
【請求項４】
ホームロケーションレジスタと、
ビジターロケーションレジスタと、
移動交換機と、
移動端末と、を具備する移動通信システムにおいて、
前記ホームロケーションレジスタからルーチング情報取得メッセージを受信したビジターロケーションレジスタは、自ビジターロケーションレジスタ内に対応する移動端末のプロフィルを有しない場合に、他のビジターロケーションレジスタに対してルーチング情報の取得処理を行い、その結果をホームロケーションレジスタに通知する再ルーチング情報取得部を有することを特徴とする移動通信システム。
【請求項５】
前記再ルーチング情報取得部は、
再ルーチングを行う他のビジターロケーションレジスタの選択処理を行うビジターロケーションレジスタ選択部と、
選択されたビジターロケーションレジスタとの間でルーチング情報の取得処理を行う再ルーチング情報取得処理部と、を有する、請求項４記載のシステム。
【請求項６】
前記再ルーチング情報取得部は、さらにホームロケーションレジスタに対して再ルーチング情報取得処理のために必要な時間の延長を要求するタイマー延長要求処理部、を有し、
前記ホームロケーションレジスタは、前記タイマー延長要求処理部からの時間延長要求に対する処理を行うタイマー延長要求処理部を有する、請求項５記載のシステム。
【請求項７】
前記ビジターロケーションレジスタ選択部は、基点となるビジターロケーションレジスタの近隣に存在するビジターロケーションレジスタを優先的に選択する請求項２又は５に記載のシステム。
【請求項８】
前記ビジターロケーションレジスタ選択部は、さらに前記近隣に存在する各ビジターロケーションレジスタにおける移動端末の移動履歴データに基づいて移動確率のより高いビジターロケーションレジスタから優先的に選択する請求項７記載のシステム。
【請求項９】
前記再ルーチング情報取得処理部は、前記ビジターロケーションレジスタ選択部によって選択された複数のビジターロケーションレジスタに対してルーチング情報取得メッセージを逐次送信する請求項２又は５に記載のシステム。
【請求項１０】
前記再ルーチング情報取得処理部は、前記ビジターロケーションレジスタ選択部によって選択された複数のビジターロケーションレジスタに対してルーチング情報取得メッセージをブロードキャストする請求項２又は５に記載のシステム。
【請求項１１】
前記再ルーチング情報取得部は、
ビジターロケーションレジスタの配置に関する情報を持ち、再ルーチング情報取得メッセージの送信先となるビジターロケーションレジスタを決定するビジターロケーションレジスタ選択部と、
前記ビジターロケーションレジスタ選択部によって選択されたビジターロケーションレジスタとの間で再ルーチング情報取得メッセージの送受信処理を行い、再ルーチング情報取得メッセージの応答として着信先の移動端末がビジターロケーションレジスタに登録されている旨の応答メッセージの受信により、着信先移動端末の位置登録情報をその応答メッセージの送信元であるビジターロケーションレジスタへのポインタに訂正する再ルーチング情報取得処理部と、で構成される請求項１又は４記載のシステム。
【請求項１２】
ホームロケーションレジスタと、
ビジターロケーションレジスタと、
移動交換機と、
移動端末と、を具備する移動通信システムにおいて、
前記ビジターロケーションレジスタは、位置登録情報の確認をホームロケーションレジスタに要求する位置情報救済処理部を有し、
前記ホームロケーションレジスタは、前記位置情報救済処理部からの要求により内部の位置登録情報との照合確認を行い、その結果に基づいて位置登録情報の訂正を行う位置情報確認処理部を有することを特徴とする通信システム。
【請求項１３】
前記位置情報確認処理部は、前記位置情報救済処理部から送られた位置登録情報の確認を要求するメッセージを受信し、内部の位置登録情報（ＶＬＲポインタ）と照合し、これが前記メッセージを送信したビジターロケーションレジスタと相違していた場合に前記メッセージ送信元のＶＬＲポインタ値に位置登録情報を訂正する請求項１２記載のシステム。
【請求項１４】
前記位置情報救済処理部は、移動端末の認証の際にホームロケーションレジスタで管理される位置登録情報の確認が必要と判断した場合に、移動交換機から受信した認証要求メッセージに「位置登録情報の確認を要求する」旨のパラメータを付加してホームロケーションレジスタへ送信し、
前記位置情報確認処理部は、ビジターロケーションレジスタから受信した認証要求メッセージに「位置登録情報の確認を要求する」パラメータが付加されていた場合に、前記位置登録情報の照合確認とその訂正とを行う請求項１３記載のシステム。
【請求項１５】
前記位置情報救済処理部は、前記位置登録情報の確認の必要性の判断において「移動端末が自ビジターロケーションレジスタに位置登録してから第一回目の認証要求であり、且つ前記認証要求は発信に際してのものである」との条件に適合した場合に、前記認証要求メッセージに「位置登録情報の確認を要求する」旨のパラメータを付加してホームロケーションレジスタへ送信する請求項１４記載のシステム。
【請求項１６】
前記位置情報救済処理部は、前記位置登録情報の確認判断のため自ビジターロケーションレジスタに在圏する各移動端末に対応した「認証フラグ」を管理し、移動端末が当該ビジターロケーションレジスタに移動してきた際に前記認証フラグを「０」に設定し、前記移動端末に対する発着信の際に「１」に設定することで前記「「移動端末が自ビジターロケーションレジスタに位置登録してから第一回目の認証要求」か否かを判断する請求項１５記載のシステム。
【請求項１７】
前記位置情報救済処理部は、自ビジターロケーションレジスタに在圏する各移動端末に対応して「認証フラグ」と呼ばれる情報を管理し、移動端末が前記ビジターロケーションレジスタに移動してきた場合に前記認証フラグを０に設定し、その認証要求メッセージを受信した際に、
ビジターロケーションレジスタが認証を実行可能な場合には認証を行い、その認証が成功した場合には、前記「位置登録情報の確認を要求するパラメータを付加した認証要求メッセージをホームロケーションレジスタへ送信し、その応答により位置登録情報の確認が完了したことを確認した後、当該移動端末に関する認証フラグを「１」に設定し、
ビジターロケーションレジスタが認証を実行不可能な場合には、前記「位置登録情報の確認を要求するパラメータを付加した認証要求メッセージをホームロケーションレジスタへ送信し、その応答により該認証処理が成功したと判断される場合には、当該移動端末に関するフラグを「１」にセットする請求項１４記載のシステム。
【請求項１８】
前記位置情報救済処理部は、ホームロケーションレジスタの切替えを検出した時に、前記位置登録情報の確認要求を行う請求項１２記載のシステム。
【請求項１９】
前記位置情報救済処理部は、ホームロケーションレジスタの切替えが行われた際に、自ビジターロケーションレジスタに在圏する全ての移動端末の前記認証フラグを「０」に設定する請求項１６又は１７記載のシステム。
【発明の詳細な説明】
【０００１】
【発明の属する技術分野】
本発明は移動通信システムに関し、特に現用ホームロケーションレジスタ（ＨＬＲ）と、それと同じ内容のデータベースを持つ待機ホームロケーションレジスタとを有する移動通信システムにおいて、障害発生等により前記ホームロケーションレジスタ間で系を切り替えた際に生じ得る端末位置情報の欠落現象を自律的に救済・回復する機能を備えた移動通信システムに関する。
【０００２】
【従来の技術】
現用ホームロケーションレジスタ、それと同じ内容のデータベースを持つ待機ホームロケーションレジスタ、ビジターロケーションレジスタ（ＶＬＲ）、移動交換機（ＭＳＣ）、及び移動端末（ＭＳ）で構成される移動通信システムにおいて、前記現用ホームロケーションレジスタに障害等が発生すると待機ホームロケーションレジスタに系が切り替えられ、前記待機ホームロケーションレジスタは新現用ホームロケーションレジスタとして運用を継続する。
【０００３】
前記待機ホームロケーションレジスタのデータベース内容は現用ホームロケーションレジスタのデータベース内容と一致するよう定期的に更新されている。従って、一般には上述した現用系から待機系への系切替え後も、新現用ホームロケーションレジスタのデータベース内容はそれ以前の旧現用ホームロケーションレジスタのデータベース内容と一致しており、それによって正常な継続運用が期待される。
【０００４】
【発明が解決しようとする課題】
従来においては、上述したように待機ホームロケーションレジスタのデータベース内容は定期的に更新されている。その一方で、現用ホームロケーションレジスタ側に障害が発生すると直ちに現用系から待機系へホームロケーションレジスタの切替えが行われる。その結果、障害発生前の現用ホームロケーションレジスタのデータベース内容と障害発生後の新現用ホームロケーションレジスタ（旧待機ホームロケーションレジスタ）のデータベース内容との間に相違が生じ得る。図１〜３にはその一例を示している。
【０００５】
図１は、一般的な移動通信網の一構成例を示したものである。
図１において、携帯電話網や自動車電話網等からなるネットワーク３に現用ホームロケーションレジスタ（ＡＣＴ−ＨＬＲ）１及び待機ホームロケーションレジスタ（ＳＴＡＢＹ−ＨＬＲ）２が接続されている。また、ネットワーク３配下の各エリア（エリアａ及びｂ）４及び５には、各エリア４及び５内における端末位置情報等を登録するビジターロケーションレジスタ（ＶＬＲ）７及び９と、前記端末の間の交換処理等を行う移動交換機（ＭＳＣ）６及び８とがそれぞれ設けられている。
【０００６】
本例では、携帯電話機や自動車電話機等の移動端末（ＭＳーＸ）１０がエリア４内に在圏し、位置登録されている。従って、エリア４内の移動交換機６及びビジターロケーションレジスタ７は移動端末１０のプロファイル（ＭＳーＸと示す）を保持している。また、その端末及び端末位置情報はネットワーク３を介して上位の現用ホームロケーションレジスタ１及び待機ホームロケーションレジスタ２にそれぞれ登録（ＭＳーＸ：エリアａと示す）されている。
【０００７】
図２は、図１の現用ホームロケーションレジスタ１に障害が発生した場合の一例を示している。
図２では、移動端末１０がエリア４からエリア５へ移動し、エリア５に対して位置登録要求を行い、その位置登録が完了した場合を示している。これにより、前記エリア４内の移動交換機６及びビジターロケーションレジスタ７における移動端末１０のプロファイルは消去され、エリア５の移動交換機８及びビジターロケーションレジスタ９に現用ホームロケーションレジスタ１から移動端末１０のプロファイルがコピーされる。
【０００８】
現用ホームロケーションレジスタ１には移動端末１０の最新の位置登録情報（エリアｂ）が登録されるが、本例では待機ホームロケーションレジスタ２のデータベースは未だ更新されておらず、従って移動端末１０の位置登録情報は旧登録エリア（エリアａ）がそのまま登録されている。
【０００９】
図３は、上述した従来の位置登録シーケンスの一例を示したものである。
なお、ここでは、信号網を介して転送される移動通信システム用信号プロトコルとして、北米で標準化が行われているＩＳ−４１−Ｃ（Interim Standard 41 revision C）を前提とする（以降の例において同じ）。前記プロトコルを総称してＭＡＰ（Mobile Application Protocol/Part）とも呼ばれる。
【００１０】
図３において、エリア４からエリア５へ移動してきた移動端末１０は、在圏するエリア５内の移動交換機８に対して位置登録要求メッセージを送信する（Ｓ１０１）。移動交換機８は移動端末１０に関する位置登録要求メッセージ（ＲＥＧＮＯＴ）をビジターロケーションレジスタ９へ送信し、前記ビジターロケーションレジスタ９は現用ホームロケーションレジスタ１に位置登録要求メッセージを送信する（Ｓ１０２及び１０３）。
【００１１】
それを受信した現用ホームロケーションレジスタ１は、移動端末１０の現時点の登録エリア（エリアａ）のビジターロケーションレジスタ７に対して位置登録取り消し要求メッセージ（ＲＥＧＣＡＮＣ）を送信する（Ｓ１０４）。ビジターロケーションレジスタ７は、それによって移動交換機６に位置登録取り消し要求メッセージを送信し、移動交換機６は内部に記録されている移動端末１０のプロファイルがあればそれを削除して位置登録取り消し要求の応答メッセージ（ｒｅｇｃａｎｃ）をビジターロケーションレジスタ７に返す（Ｓ１０５及び１０６）。
【００１２】
現用ホームロケーションレジスタ１は、ビジターロケーションレジスタ７から位置登録取り消し要求の応答メッセージを受信すると、登録してある移動端末１０の登録エリア（エリアａ）を最新の登録エリア（エリアｂ）に更新し、エリア５内のビジターロケーションレジスタ９へ位置登録要求の応答メッセージ（ｒｅｇｎｏｔ）を送信する（Ｓ１０８〜１１０）。エリア５内のビジターロケーションレジスタ９は前記位置登録要求の応答メッセージに含まれる移動端末１０のプロフィルをその内部に登録し、さらに位置登録要求の応答メッセージを移動交換機８へ送出する（Ｓ１１０から１１２）。移動交換機８も同様に移動端末１０のプロフィルをその内部に登録する。
【００１３】
なお、ホームロケーションレジスタからビジターロケーションレジスタ／移動交換機へのプロファイルの送信形態については、ａ）プロファイル転送用メッセージのパラメータとして転送、及びｂ）位置登録応答メッセージのパラメータとして転送、の２つの形態がある。上記の例では、ｂ）の形態についてのみ説明しているがａ）の形態によってもよい。
【００１４】
ところで、図２の例では上記の後、さらに「Ｘ」印で示すよう現用ホームロケーションレジスタ１に障害が発生した場合を示している。その結果、直ちに現用ホームロケーションレジスタ１から待機ホームロケーションレジスタ２へ切替えられ、前記待機ホームロケーションレジスタ２は移動端末１０が在圏しない旧位置登録情報（エリアａ）に基づいて新現用ホームロケーションレジスタ２としての運用を開始する。この時点で、移動端末１０については位置登録情報が欠落した状態が発生している。
【００１５】
図４は、従来の着信シーケンスの一例を示したものである。
図４では、特に図２の状態において位置登録情報が欠落した移動端末１０に着信する場合を示している。図４において、現用ホームロケーションレジスタ１は、ゲーウェイ移動交換機（Ｇ−ＭＳＣ）１１から移動端末１０について位置情報問合わせメッセージ（ＬＯＣＲＥＱ）を受信すると、移動端末１０の登録位置情報（エリアａ）を参照してエリア４のビジターロケーションレジスタ７へルーチング情報取得メッセージ（ＲＯＵＴＲＥＱ）を送出する（Ｓ２０１及び２０２）。
【００１６】
前記ルーチング情報取得メッセージを受信したビジターロケーションレジスタ７は、その内部に着信先移動端末１０のプロファイルを有しないため、現用ホームロケーションレジスタ１に対してエラー・コード（ERROR CODE＝UnrecognizedMIN2）を付した応答メッセージ（ｒｏｕｔｒｅｑ）を返送する（Ｓ２０３及び２０４）。前記エラー・コードが付された応答メッセージを受信すると、現用ホームロケーションレジスタ１は該当する移動端末１０の登録位置情報（エリアａ）を消去し（Ｓ２０５）、前記ゲーウェイ移動交換機１１へエラーコード（ERROR CODE）を付した応答メッセージ（ｌｏｃｒｅｑ）を返送する（Ｓ２０６）。そのため、これ以降は外部からの移動端末１０に対する着信は不可能になる。
【００１７】
上述したように、従来においては以下の問題があった。
１）新現用ホームロケーションレジスタ２に位置情報が誤って登録された端末へは着信できない。
２）網側には、欠落した位置登録情報を自律的に訂正し回復するための手段がない。
【００１８】
すなわち、図４で示したように新現用ホームロケーションレジスタ２には移動端末１０のプロフィル自体が存在しなくなり、移動端末１０への着信は不可能となる。また、現状システムで前記移動端末１０を再び着信可能状態に復帰させるには、図３でも示したように、移動端末１０がさらに別の位置登録エリアへ移動し、そこで最新の（正常な）位置登録を行うことにより新現用ホームロケーションレジスタ２に再登録される必要がある。
【００１９】
このように、従来においては移動端末１０が新現用ホームロケーションレジスタ２に再登録されるまで前記端末１０に対する着信不可状態が長時間継続するとい問題があり、またこのような状態を積極的に救済する手段が網側に存在しないという問題があった。
【００２０】
そこで本発明の目的は、上記問題点に鑑み、ホームロケーションレジスタの系切り替えによって最新の位置登録情報が欠落してしまった移動端末に対して以下の２つの救済措置を提供することにある。すなわち、
・着信を可能にする、
・網が自律的に正しい位置登録情報に訂正する、
ことが可能な移動端末の位置登録情報救済システム及びその方法を提供することにある。
【００２１】
また、本発明の目的は、さらに上記ホームロケーションレジスタの系切り替えによって欠落した移動端末の位置登録情報に限らず、移動端末一般の欠落した位置登録情報を訂正・回復する移動端末の位置登録情報救済システム及びその方法を提供することにある。
【００２２】
【課題を解決するための手段】
本発明によれば、現用ホームロケーションレジスタと、待機ホームロケーションレジスタと、ビジターロケーションレジスタと、移動交換機と、移動端末と、を具備する移動通信システムにおいて、現用ホームロケーションレジスタの障害により待機ホームロケーションレジスタへ切替えられた際に、前記待機ホームロケーションレジスタは、ビジターロケーションレジスタに送出したルーチング情報取得メッセージに対して対応する移動端末が在圏しない旨の応答メッセージを受信すると、他のビジターロケーションレジスタに対してルーチング情報の取得処理を行う再ルーチング情報取得部を有する移動通信システムが提供される。
【００２３】
また本発明によれば、ホームロケーションレジスタと、ビジターロケーションレジスタと、移動交換機と、移動端末と、を具備する移動通信システムにおいて、前記ホームロケーションレジスタからルーチング情報取得メッセージを受信したビジターロケーションレジスタは、自ビジターロケーションレジスタ内に対応する移動端末のプロフィルを有しない場合に、他のビジターロケーションレジスタに対してルーチング情報の取得処理を行い、その結果をホームロケーションレジスタに通知する再ルーチング情報取得部を有する移動通信システムが提供される。
【００２４】
さらに本発明によれば、ホームロケーションレジスタと、ビジターロケーションレジスタと、移動交換機と、移動端末と、を具備する移動通信システムにおいて、前記ビジターロケーションレジスタは、位置登録情報の確認をホームロケーションレジスタに要求する位置情報救済処理部を有し、前記ホームロケーションレジスタは、前記位置情報救済処理部からの要求により内部の位置登録情報との照合確認を行い、その結果に基づいて位置登録情報の訂正を行う位置情報確認処理部を有する通信システムが提供される。
【００２５】
【発明の実施の形態】
以降では、前述した図２の状況を前提に（Ａ）位置情報が欠落した移動端末に対する着信を可能にする構成、及び（Ｂ）網が自律的に正しい位置登録情報に訂正する構成、についてそれぞれ説明する。
【００２６】
（Ａ）位置情報が欠落した移動端末に対する着信を可能にする構成
図５は、本発明により位置情報が欠落した移動端末に対する着信を可能にする構成を備えた現用ホームロケーションレジスタ１の構成例を示したものである。ここで、網掛けしてある再ルーチング情報取得部２３は、本発明のために新たに設けられた機能部分を示している。再ルーチング情報取得部２３は、図４で説明したビジターロケーションレジスタに送出したルーチング情報取得メッセージ（ＲＯＵＴＲＥＱ）に対してエラー・コードを含む応答メッセージを受信すると、他のビジターロケーションレジスタに対して再ルーチング情報の取得処理を行う。
【００２７】
再ルーチング情報取得部２３は、ビジターロケーションレジスタ（ＶＬＲ）選択部３１、再ルーチング情報取得処理部３２、及びタイマー延長要求処理部３３から成る。ビジターロケーションレジスタ選択部３１は再ルーチングを行う他のビジターロケーションレジスタの選択処理を行い、再ルーチング情報取得処理部３２は選択されたビジターロケーションレジスタとの間でルーチング情報の取得処理を行う。また、タイマー延長要求処理部３３は、ルーチング情報取得の要求元に対して再ルーチング情報取得処理のために必要な時間の延長を要求する。
【００２８】
ここでは、図６〜１１を用いて図５の一実施例について説明する。なお、理解の容易のため、図６の本発明による着信シーケンを中心に説明し、その中で関連する図７及び８の再ルーチング情報取得制御フローについて説明していく。また、図６と図７及び８との間で各々対応するステップには同一のステップ番号を付している。
【００２９】
図６において、先ず新現用ホームロケーションレジスタ（旧待機ホームロケーションレジスタ）２は、他網からゲートウェイ移動交換機１１を介してに移動端末１０に関する位置情報問合わせメッセージ（ＬＯＣＲＥＱ）を受信すると、新ホームロケーションレジスタ２のルーチング情報取得部２２（図５及び７）は、移動端末１０の位置情報（ＶＬＲａへのポインタ＝エリアａ）に基づいて、ビジターロケーションレジスタ７へルーチング情報取得メッセージ（ＲＯＵＴＲＥＱ）を送信する（Ｓ３０１及び３０２）。
【００３０】
ビジターロケーションレジスタ７は、移動端末１０のプロファイルを有しないため、ホームロケーションレジスタ２へエラーコード（ErrorCode ＝“UnrecognizedMIN ”）を付した応答メッセージ（ｒｏｕｔｒｅｑ）を返す（Ｓ３０４）。これにより、前記ルーチング情報取得部２２は移動端末１０がエリア４に在圏しないことを認識する（Ｓ３０５）。ここまでは、図４に示した従来例と同じである。
【００３１】
次に、本発明による再ルーチング情報取得部２３（図５及び８）は、再ルーチング情報取得処理を開始する前にタイマ延長要求処理部３３に指示して位置情報問合わせメッセージの発信元であるゲートウェイ移動交換機１１に対し応答待機時間（タイマー）の延長要求メッセージ（ＥＸＴＥＮＲＥＱ）を送信する（Ｓ３０６）。
【００３２】
前記タイマー延長要求メッセージ処理は、後の再ルーチング情報取得処理中にタイムアウトが発生し、着信呼が呼損となるのを救済するために実行される。なお、ＩＳ−４１−Ｃにそのようなタイマー延長要求メッセージは規定されておらず、そのため本例において「ＥＸＴＥＮＲＥＱ（Extension request ）」メッセージを新たに定義している。
【００３３】
タイマー延長要求メッセージを受信したゲートウェイ移動交換機１１は、位置情報問合わせメッセージの応答待機時間の延長が可能であるか否かを判定し、可能であればタイマーを延長する。なお、前記判定の結果が延長不可能な場合でも特に応答をホームロケーションレジスタ２へ返送する必要はない。
【００３４】
次に、再ルーチング情報取得部２３は、ビジターロケーションレジスタ選択部３１に指示してＶＬＲ配置情報からルーチング情報取得メッセージの新たな送信先となる別のビジターロケーションレジスタ（本例ではＶＬＲｂ）を選択し（Ｓ３０７）、それに対して再度ルーチング情報取得メッセージを送信する（Ｓ３０８）。なお、再度ルーチング情報取得メッセージを送信する相手となるビジターロケーションレジスタが複数存在する場合には、当該メッセージの送信方法としては逐次的に送信してもよく又は一斉に送信してもよい。これについては、後述の図９〜図１１の説明参照。また、図８では前者の方法をとている（Ｓ３０７）。
【００３５】
ルーチング情報取得メッセージを受信したビジターロケーションレジスタ９は、移動端末１０のプロファイルを所持しており、所定の処理を行った後に同じエリア５内の移動交換機８へルーチング情報取得メッセージ（ＲＯＵＴＲＥＱ）を送信する（Ｓ３０９及び３１０）。移動交換機８は、ルーチング情報（ＴＬＤＮ：Temporary Local Directory Number）を割り当て、それをビジターロケーションレジスタ９に返送する（Ｓ３１１）。
【００３６】
ビジターロケーションレジスタ９は、前記ルーチング情報を設定した応答メッセージ（ｒｏｕｔｒｅｑ）をホームロケーションレジスタ２へ返す（Ｓ３１２）。ホームロケーションレジスタ２は、受信した応答メッセージのルーチング情報（ＴＬＤＮ）により移動端末１０の位置登録情報を「ＶＬＲｂのポインタ」に訂正し、位置情報問合わせの応答メッセージ（ｌｏｃｒｅｑ）を発信元であるゲートウェイ移動交換機１１に送信する（Ｓ３１３及び３１４）。
【００３７】
前述したように、従来、移動端末への着信処理の過程で、ホームロケーションレジスタからビジターロケーションレジスタを経由して移動交換機へルーチング情報取得メッセージが送信される。本例のように、ホームロケーションレジスタに登録されている位置登録情報が不正確であれば、その応答としてエラーが返され、着信呼は移動端末には接続されない。
【００３８】
しかしながら、このエラー情報からホームロケーションレジスタが独自に「位置登録情報が間違っている」と判断することは可能である。すなわち、当該エラー・コードは、指定されたＭＩＮ（移動端末を識別する番号）が認識されないこと、すなわち、ＭＩＮにより指定された移動端末は当該ビジターロケーションレジスタに在圏しないことを意味する。従って、その後は本発明による以下の手順でメッセージ再送を行うことで当該移動端末に着信することが可能となる。
【００３９】
▲１▼  ホームロケーションレジスタがルーチング情報取得メッセージを最初に送信したビジターロケーションレジスタとは異なるビジターロケーションレジスタに対して、再度ルーチング情報取得メッセージを送信する。
▲２▼  再度ルーチング情報取得メッセージを送信したビジターロケーションレジスタのエリアに移動端末が存在していた場合には、ビジターロケーションレジスタ／移動交換機で通常のルーチング処理が行われ、ホームロケーションレジスタにその応答が返される。
【００４０】
▲３▼  移動端末が存在しないエリアのビジターロケーションレジスタからは、「当該移動端末が存在しない」旨の応答が返されるが、ホームロケーションレジスタはこれらの応答を無視する。
これらの操作を行うことで、実際とは異なった位置情報が登録されている移動端末への着信が可能となる。
【００４１】
ところで、前述したビジターロケーションレジスタ選択部３１がＶＬＲ配置情報からルーチング情報取得メッセージの新たな送信先となるビジターロケーションレジスタを選択するには種々の方法が考えられる。
図９は、ビジターロケーションレジスタの配置形態とその配置情報リストの一例を示したものである。また、図１０及び１１は、ビジターロケーションレジスタの別の配置情報リスト例を示したものである。
【００４２】
図９の（ａ）に示すビジターロケーションレジスタの配置形態を想定する。図９の（ｂ）はビジターロケーションレジスタ選択部３１がルーチング情報取得メッセージを全てのビジターロケーションレジスタへ送信するための配置情報リストの例を示している。
【００４３】
ビジターロケーションレジスタ選択部３１が全てのビジターロケーションレジスタへ再ルーチング情報を送信するには、図９の（ｂ）に示すような移動通信システムに配置された全ビジターロケーションレジスタの識別情報（ＶＬＲ−ＩＤ）リストを持てばよい。この場合、ビジターロケーションレジスタの選択は、当該リストから基点となるビジターロケーションレジスタの識別情報を除いたものを順次又はランダムに選択することによって行われる。
【００４４】
図１０及び１１には、別のビジターロケーションレジスタ配置情報リスト例を示している。
図１０の場合、図９に斜線で示すように例えばビジターロケーションレジスタ１について隣接するビジターロケーションレジスタ２，３、．．，７の識別情報リスト（隣接ＶＬＲリストと呼ぶ）を参照することによって、自らに隣接するビジターロケーションレジスタを容易に選択することができる（図１０の上側ＶＬＲ１リスト）。ビジターロケーションレジスタ２についても同様である（図１０の下側ＶＬＲ２リスト）。
【００４５】
このように、あるビジターロケーションレジスタの近傍にあるビジターロケーションレジスタをルーチング情報取得メッセージの送信先として優先的に選択する利点は、現用ホームロケーションレジスタ１のデータベースが更新されてからどれだけの時間遅れて待機ホームロケーションレジスタ２のデータベースが更新されるか（反映周期）にも依存するが、前記反映周期（数秒〜数百秒）は移動端末１０が平均的に位置登録を行う周期（数時間）よりもかなり短いと予想される。
【００４６】
このとき、ホームロケーションレジスタ１及び２の切り替えによって最新の位置登録情報が新現用ホームロケーションレジスタ２に反映されていない移動端末１０の「現在（最新）の在圏位置登録エリア」は、新現用ホームロケーションレジスタ２に登録されているエリアの近隣のエリア（例えば、隣接するエリア）である可能性が極めて高いと考えられるためである。そのため、基点ビジターロケーションレジスタに近い順でリストアップされた選択結果は再ルーチング情報取得処理部３２へ返され、そこから順次ルーチング情報取得メッセージが送信される。
【００４７】
図１１では、図１０の例に加えてさらに隣接するビジターロケーションレジスタのうち、移動端末がどのビジターロケーションレジスタに移動したかを示す度数（履歴）を設ける。前記度数は位置登録の都度に更新される。図１１は、図１０の上側ＶＬＲ１の隣接ＶＬＲリストに対応している。本例の情報を用いることでルーチング情報取得メッセージ送信先の候補となる複数の隣接ビジターロケーションレジスタのうち、より度数の高い順（ＶＬＲ７，ＶＬＲ６，ＶＬＲ５，ＶＬＲ４，ＶＬＲ３，ＶＬＲ２の順）にビジターロケーションレジスタが選択される。
【００４８】
これにより、選択されたビジターロケーションレジスタのエリア内に移動端末が在圏する確立をさらに高めることができる。本例では、移動端末毎に度数を設けていないが、隣接ＶＬＲリストに代えて移動端末単位に度数を設けてもよい。ビジターロケーションレジスタ選択部３１は、ネットワークのトラフィック等を考慮し、上述した移動端末が在圏するエリアを選択する種々の方法を単独で又はそれらを組合せることによって使用することができる。
【００４９】
ルーチング情報取得メッセージの再送信先をネットワーク内に存在する全てのビジターロケーションレジスタとすれば、確実に移動端末へ着信できるが、その分ネットワークのトラヒックを著しく増加させる。一方、ルーチング情報取得メッセージの再送先を最初に送信したビジターロケーションレジスタの近隣に配置されているビジターロケーションレジスタに制限し、さらには上述した度数等を考慮すると確実にネットワークのトラヒック増加等を抑制することができる。
【００５０】
図１２〜１５は、図５〜１１に示した位置情報が欠落した移動端末に対する着信を可能にする構成の別の態様例を示したものである。
図５では現用ホームロケーションレジスタの構成を示したが、図１２ではその機能をビジターロケーションレジスタの側に設けている。すなわち、図中で網掛けした再ルーチング情報取得部４３は、図５の再ルーチング情報取得部２３と同じ機能部分５１〜５３を有しており、それらの機能動作も図５のものと同様である。
【００５１】
ここでも、本例を図１３の本発明による着信シーケン例を中心に説明し、その中で関連する図１４及び１５のビジターロケーションレジスタにおける再ルーチング情報取得制御フローについて説明していく。また、図１３と図１４及び１５との間で各々対応するステップには同一のステップ番号を付している。
【００５２】
図１３において、他網からゲートウェイ移動交換機１１を介して新現用ホームロケーションレジスタ（旧待機ホームロケーションレジスタ）２に移動端末１０に関する位置情報問合わせメッセージ（ＬＯＣＲＥＱ）が送出され、新現用ホームロケーションレジスタが移動端末１０の位置情報（ＶＬＲａへのポインタ＝エリアａ）に基づいて、ビジターロケーションレジスタ７へルーチング情報取得メッセージ（ＲＯＵＴＲＥＱ）を送信するまでは図６と同じである（Ｓ４０１及び４０２）。
【００５３】
本例では、移動端末１０のプロファイルを有しないビジターロケーションレジスタ７が、ホームロケーションレジスタ２へエラーコードを付した応答メッセージを返すのに代え、ビジターロケーションレジスタ７内のタイマー延長要求処理部５３によって再ルーチング情報取得処理のため応答待機時間（タイマー）の延長要求メッセージ（ＥＸＴＥＮＲＥＱ）を返送する（Ｓ４０４）。前記メッセージを受信したホームロケーションレジスタ２内のタイマー延長要求処理部３３は、ゲートウェイ移動交換機１１に対して同じ延長要求メッセージを送信し位置情報問合わせメッセージの応答待機時間の延長を要求する（Ｓ４０５及び４０６）。
【００５４】
なお、一般にホームロケーションレジスタからゲートウェイ移動交換機に対するタイマー延長要求メッセージ処理は着信呼の救済には必要であるが（再ルーチング情報取得処理によりタイムアウトが発生すると呼損となるため）、移動端末の位置登録情報の訂正処理自体については特に必要ない。そのため、前記処理については点線で囲ってある（先に説明した図６のステップＳ３０６も同様と考えられる）。
【００５５】
ホームロケーションレジスタ２からタイマー延長要求に対するＯＫの応答を受信すると、ビジターロケーションレジスタ７内のビジターロケーションレジスタ選択部５１は図９〜１１で述べたと同様な方法でルーチング情報取得メッセージ送信先のビジターロケーションレジスタを選択し、それにより再ルーチング情報取得処理部５２からビジターロケーションレジスタ９へルーチング情報取得メッセージ（ＲＯＵＴＲＥＱ）が送信される（Ｓ４０７〜４０９）。
【００５６】
ところで、ＩＳ−４１−Ｃでは、ルーチング情報取得メッセージをビジターロケーションレジスタ相互間でやり取りするようには定義されていない。本例ではそのやり取りを可能とすることを想定している。別に、再ルーチング情報取得のためのメッセージを定義してもよい。
【００５７】
これ以降の処理シーケンスは図６で説明したのと同様である。ただ、最初にルーチング情報取得メッセージを受信したビジターロケーションレジスタ７の再ルーチング情報取得部４３がホームロケーションレジスタ２に代わって、ビジターロケーションレジスタ相互間で再ルーチング情報取得処理を実行する点（図１５）が相違している（Ｓ４０８〜４１３）。
【００５８】
本例では、ビジターロケーションレジスタ７がビジターロケーションレジスタ９から移動端末１０が在圏する旨の応答メッセージ（ｒｏｕｔｒｅｑメッセージ）を受信すると、割り当てられたルーチング情報とビジターロケーションレジスタ９のＩＤ（例えば、ＶＬＲｂ）を付加して、ホームロケーションレジスタ２へ応答メッセージを返送する（Ｓ４１３及び４１５）。ホームロケーションレジスタ２は、ビジターロケーションレジスタ７からの応答メッセージの中に、前記ビジターロケーションレジスタＩＤ（ＶＬＲｂ）が付加されていることを確認すると、移動端末１０の位置登情報を更新し（Ｓ４１６）、位置情報問合わせの応答メッセージ（ｌｏｃｒｅｑ）を発信元のゲートウェイ移動交換機１１に送信する（Ｓ４１７）。
【００５９】
（Ｂ）網が自律的に正しい位置登録情報に訂正する構成
次に、本発明により網が自律的に正しい位置登録情報に訂正する構成について説明する。
先ず、前述したように移動端末への着信を可能にする構成によって、ホームロケーションレジスタは移動端末の正しい在圏エリアを把握し、その結果移動端末の位置登録情報は正しい在圏エリアに訂正される。
【００６０】
図１６〜１９では現用ホームロケーションレジスタの障害発生等によって待機ホームロケーションレジスタへの切替えが行われた時、それを検出した配下のビジターロケーションレジスタが本発明により新現用ホームロケーションレジスタ（待機ホームロケーションレジスタ）との間で自律的に正しい位置登録情報の確認を行う構成例を示している。
【００６１】
図１６は、ホームロケーションレジスタ切替え時に位置登録情報の確認構成例を示している。
図１６において、現用及び待機用のホームロケーションレジスタ１及び２には本発明のための位置情報確認処理部３４が設けられている。また、全てのビジターロケーションレジスタ７等にも本発明のための位置情報救済処理部５４が設けられている。これらの動作例は図１８及び１９にそれぞれ記載されている。以下、本例を図１７の本発明による位置登録情報の確認シーケンを中心に説明する。その中で図１８及び１９の関連個所を説明していく。なお、図１７と図１８及び１９との間で各々対応するステップには同一のステップ番号を付している。
【００６２】
図１７では、ビジターロケーションレジスタ９がホームロケーションレジスタ１及び２の間の切り替えを検出し（Ｓ５０１）、位置登録情報の確認の必要性を認識する。図面による説明上、本例ではビジターロケーションレジスタ９について説明するが、上記動作は切替えが行われたホームロケーションレジスタ配下の全てのビジターロケーションレジスタで行われる。
【００６３】
ビジターロケーションレジスタ９の位置情報救済処理部５４（図１６及び１８）は、プロファイル管理部４１から自ビジターロケーションレジスタに位置登録している移動端末の識別情報（ＭＳ−ＩＤ、本例ではＭＳ−Ｘ）を取得し（Ｓ５０２）、その識別情報を設定した位置登録情報確認要求メッセージ（ＣＯＮＦＲＥＱ）を新現用ホームロケーションレジスタ２へ送信する。
【００６４】
ホームロケーションレジスタ２の位置情報確認処理部３４（図１６及び１９）は、受信した位置登録情報確認要求メッセージ内に設定された移動端末の識別情報と対応するメッセージ送信元のビジターロケーションレジスタ９が正しく登録されているか否かを調べ、相違していた場合にはそれを訂正する（Ｓ５０４）。ホームロケーションレジスタ２は、位置登録情報確認応答メッセージ（ｃｏｎｆｒｅｑ）をビジターロケーションレジスタ９に送信し、ビジターロケーションレジスタ９は位置登録情報の確認が完了した移動端末を記憶する（Ｓ５０５及び５０６）。
【００６５】
本例では、ホームロケーションレジスタが切替えられたことを契機として位置登録情報の確認を行うようにしているが、その後であってビジターロケーションレジスタの処理負荷が低い時に位置登録情報の確認を行うように構成してもよい。また、ホームロケーションレジスタとビジターロケーションレジスタとの間のメッセージ転送回数をより少なくするために、１つの位置登録情報確認要求メッセージに複数の端末識別情報を設定してもよい。
【００６６】
さらに、本例では各ビジターロケーションレジスタが内部に登録している全ての移動端末に対して位置登録情報の確認を行うが、位置登録情報の確認処理の効率化のため現用ホームロケーションレジスタのデータベースの内容を待機ホームロケーションレジスタに反映させる処理周期的（例えば、５分間隔）を考慮することも可能である。
【００６７】
例えば、待機ホームロケーションレジスタの前記データベース反映周期と各移動端末の位置登録実行時刻から見て、明らかに位置登録情報が欠落していないと考えられる（待機ホームロケーションレジスタにすでに最新の位置情報が登録済みと考えられる）移動端末については位置登録情報の確認を行わないようにする。これにより、ホームロケーションレジスタの処理負荷やネットワークのトラヒック軽減が図られる。
【００６８】
次に、図２０〜２７に移動端末から発信要求があった場合に位置登録情報を確認・訂正する構成例を示している。
通常、移動端末から発信要求があった場合、移動交換機を経由して在圏ビジターロケーションレジスタ又はホームロケーションレジスタで認証処理が行われる。このとき、本発明によれば認証要求メッセージを受信したビジターロケーションレジスタはその認証要求が前記移動端末が自ビジターロケーションレジスタに位置登録を行ってから第一回目の発信時認証のためのものか否かを判断する。
【００６９】
そして、第一回目の発信時認証の場合にはホームロケーションレジスタに対して認証要求メッセージを送信し、ホームロケーションレジスタでは前記移動端末の位置登録情報とその認証要求メッセージ発信元のビジターロケーションレジスタとが異なっているか否かをチェックし、異なっている場合には前記認証要求メッセージ発信元のビジターロケーションレジスタへのポインタに訂正する。
【００７０】
上述した「ビジターロケーションレジスタにおける位置登録を行ってから第一回目の発信時認証か否かの判定」には以下の意味がある。図３で説明したように、移動端末はあるビジターロケーションレジスタに移動してきた際に位置登録を行う。しかしながら、前記登録の後に全くその移動端末からの発信又は移動端末への着信がなければ、「その移動端末の現在の位置登録情報は誤っている可能性がある」と判断することもできる。
【００７１】
ところで、前記移動端末へ着信があった場合には、図６及び１３で説明したように本発明によりホームロケーションレジスタにおいて位置情報が欠落した移動端末の位置登録情報は訂正される。しかしながら、位置情報が欠落した状態でその移動端末が発信処理を行った場合には、位置情報が訂正されることはない。したがってその契機で位置情報を訂正する。よって、本例では移動端末からの発信時に限って、ホームロケーションレジスタで位置情報が欠落した移動端末の位置登録情報を訂正する構成について述べる。
【００７２】
本例では、発信時にその端末は該当ビジターロケーションレジスタのエリア内に当然在圏してるから「位置登録を行ってから第一回目の発信時」に限りその正しい移動端末の識別情報と発信元ビジターロケーションレジスタの情報とを含む認証要求メッセージをホームロケーションレジスタへ送信し、ホームロケーションレジスタに端末登録情報の訂正判断及びその実行を依頼する。ホームロケーションレジスタは、前記受信した情報とその端末の位置登録情報とを比較し、それらが異なる場合に受信した方の正しい情報（発信元ビジターロケーションレジスタへのポインタ）に訂正する。その結果、「位置登録情報が欠落した可能性のある端末」が救済される。
【００７３】
以下、上述した発信時の処理の一例について説明する。
図２０は、本発明による発信時にシステムが自律的に位置情報が欠落した端末の位置登録情報を訂正する構成の一例を示したものである。
図２０において、現用及び待機用のホームロケーションレジスタ１及び２には本発明のための位置情報確認処理部３４が設けられている。また、全てのビジターロケーションレジスタ７等にも本発明のための位置情報救済処理部５４が設けられている。
【００７４】
なお、前記位置情報確認処理部３４及び位置情報救済処理部５４は、先に説明した図１６で設けられていたが、本例ではさらに新たな機能を追加又はそれとは独自に設けたものとして説明する。以下、図２１〜２２の位置登録処理シーケンス及びその制御フロー例と、図２３〜２７の発信処理シーケンス及びその制御フロー例とに分けて説明する。ここでも各シーケン例を中心に説明し、その中で同一ステップ番号が付された関連フロー個所について説明していく。
【００７５】
図２１は、本発明による位置登録シーケンスの一例を示している。
先に、図３で従来の位置登録シーケンス例を示したが、本シーケンスもそれとほぼ同様であるが、ただビジターロケーションレジスタ９における処理内容（Ｓ６１１）だけが異なる。図２２には、前記ステップＳ６１１の処理内容を示している。ビジターロケーションレジスタ９が、現用ホームロケーションレジスタ１から位置登録要求メッセージの応答（ｒｅｇｎｏｔ）を受信すると（Ｓ６１０）、従来の受信処理に加え、本発明による位置情報救済処理部５４において端末の認証フラグの設定処理が行われる。ここではその認証フラグが「０」に初期化される。前記認証フラグ＝「０」は、エリア５における移動端末１０の位置登録は行われたが、いまだ前記移動端末１０に対する発信も着信もないことの確認に使用される。
【００７６】
なお、認証処理を行うために必要な情報（ＩＳ−４１−Ｃ1 では、ＳＳＤ：Shared Secret Dataと呼ばれています）がホームロケーションレジスタだけでなくビジターロケーションレジスタにもある場合（ＩＳ−４１−Ｃでは、当該ケースはＳＳＤ  Ｓｈａｒｅｄと呼ばれています）は、第二回目の認証を行うのにホームロケーションレジスタにおける位置登録情報を確認・訂正するために認証要求メッセージをホームロケーションレジスタに送信する必要はない（第一回目の認証により、すでに確認・訂正が完了しているため）。これは、着信時の認証でも同様であり、位置登録情報の不要な確認・訂正を回避するため前記「認証フラグ」を備える。
【００７７】
図２３は、本発明による発信シーケンスの一例を示している。
本例では、移動端末１０がエリア４からエリア５へ移動してきて前記位置登録要求処理は終了したが、待機ホームロケーションレジスタ２へその最新情報が登録される前に現用ホームロケーションレジスタ１に障害等が発生したような場合を想定している。この場合、新現用ホームロケーションレジスタ２において前記移動端末の位置情報は欠落した状態となる。
【００７８】
図２３では、移動交換機８が移動端末１０からの発信要求を受け、その認証を行うためにビジターロケーションレジスタ９へ認証要求（ＡＵＴＨＲＥＱ）メッセージを送信する（Ｓ７０１及び７０２）。ビジターロケーションレジスタ９は、移動端末１０の認証要求メッセージを受信すると、当該認証が発信のためのものであること、および図２１及び２２で示したようにその認証フラグが「０」であることを確認する（Ｓ７０３）。
【００７９】
図２４〜２６には、ビジターロケーションレジスタにおける認証要求処理フローの一例を示してる。図中の一点鎖線枠内はビジターロケーションレジスタ認証フラグの認証処理部分を示しており（Ｓ７０３）、さらにその中の点線で囲んだ部分は位置情報救済処理部５４の処理部分を示している（Ｓ８０４、８０５、８０７、及び８０９）。
【００８０】
ビジターロケーションレジスタ９の認証処理部４５が移動交換機８から認証要求メッセージを受信すると、その認証処理に必要な情報を有しているか、そして認証可能な場合であるか否かを判定する。前記ビジターロケーションレジスタ９が認証可能であり（Ｓ８０１及び８０３）、且つ端末からの発呼の場合には（Ｓ８０３）、位置情報救済処理部５４で認証フラグの値を判定する（Ｓ８０４）。認証フラグ＝「０」の場合は「位置登録を行ってから第一回目の発信時」に該当するため、その値は１は設定され（Ｓ８０５）、さらに認証処理部４５によって移動端末１０の位置登録情報確認要求パラメータを追加した認証要求メッセージ（ＡＵＴＨＲＥＱ）が新現用ホームロケーションレジスタ２へ送出される（Ｓ８０６及び７０４）。
【００８１】
なお、端末への着信の場合には前記認証フラグの値を判断することなく「１」が設定される（Ｓ８０７）。移動端末１０への着信時認証が成功した場合に認証フラグを「１」に設定する理由は、移動端末１０に正しく着信できていることによる。なぜなら、着信時の認証はページングの後に行われるが、ページングが正しく行われていることはホームロケーションレジスタ２に移動端末１０の正しい位置情報が登録されていることを意味するからである。
【００８２】
また、図２６に示すように自ビジターロケーションレジスタ９でその端末の認証処理ができないと判断された場合でも、端末からの発呼で且つ認証フラグが「０」の場合には、同様に位置登録情報確認要求パラメータを設定した認証要求メッセージが新現用ホームロケーションレジスタ２へ送出される（Ｓ８１０及び７０４）。ここでは、ホームロケーションレジスタ２からの認証成功の返答を待って認証フラグが「１」に設定される（Ｓ７０６及び８０７）。
【００８３】
次に、ビジターロケーションレジスタ９からの認証要求メッセージ（ＡＵＴＨＲＥＱ）を受信したホームロケーションレジスタ２はその認証処理が成功すると、位置登録情報確認要求パラメータが当該認証要求メッセージに含まれているか否かを確認する。本例では、ホームロケーションレジスタ２内部における移動端末１０の位置登録情報（本例ではＶＬＲａ）と前記認証要求メッセージの発信元ビジターロケーションレジスタ９（ＶＬＲｂ）との相違をチェックし、その相違から移動端末１０の位置登録情報を発信元の「ＶＬＲｂへのポインタ」に訂正する（Ｓ７０５）。
【００８４】
その結果は、発信元のビジターロケーションレジスタ９へ認証要求に対する応答メッセージ（ａｕｔｈｒｅｑ）として返送され、ビジターロケーションレジスタ９は対応する応答メッセージを移動交換機８へ返送する（Ｓ７０７及び７０８）。この認証処理の後、本例では移動交換機８がゲートウェイ交換機に対して初期アドレスメッセージ（ＩＡＭ）を送出する。
【００８５】
図２７及び２８には、前述したホームロケーションレジスタ２側における認証要求処理（Ｓ７０５）の制御フロー例を示している。また、点線で囲んだ部分はその位置情報確認処理部３４の処理部分を示している（Ｓ９０３、９０４、９０８及び９０９）。
図２７において、ビジターロケーションレジスタ９から認証要求メッセージを受信すると、当該メッセージを送信したビジターロケーションレジスタ９でその認証処理を実行することができるか（そこに認証処理に必要な情報があるか）否かを判定する（Ｓ７０４及び９０１）。
【００８６】
実行可能と判断した場合は、次に受信した認証要求メッセージに位置登録情報の確認を要求するパラメータが設定されているか否かを判定する（Ｓ９０２）。前記パラメータの設定を確認すると、位置情報管理部２１を通じて位置情報確認処理部３４において受信した認証要求メッセージの発信元ビジターロケーションレジスタ９（ＶＬＲｂ）と認証処理の対象となる移動端末１０の位置登録情報（ＶＬＲａ）が等しいか否かを判定し、その相違により発信元の位置情報（ＶＬＲｂ）へ訂正される（Ｓ９０３及び９０４）。その後、所定の処理を行って認証要求の応答メッセージが返送される（Ｓ７０６）。
【００８７】
なお、前記認証要求メッセージに位置登録情報の確認要求のパラメータが含まれていない場合には、その発信元ビジターロケーションレジスタが、自ら認証処理に必要な情報を持ち認証処理を実行することが可能であるのにも関わらず、位置登録情報の確認要求のない認証要求メッセージを送信してきたとして適当なエラー処理が行われる（Ｓ９０２及び９０５）。
【００８８】
図２８には、ビジターロケーションレジスタ９から受信した認証要求メッセージが当該ビジターロケーションレジスタ９で処理できない（そこに認証処理に必要な情報がない）と判断した場合（Ｓ９０１）の処理フローを示している。この場合は、他の認証処理に必要な情報を有するビジターロケーションレジスタにおいて認証処理を実行する。その他の処理については図２６と同様である。なお、ここでは認証要求メッセージに位置登録情報の確認を要求するパラメータが含まれていない場合には単に処理を終了する（Ｓ９０７）。
【００８９】
ところで、本実施例においては認証フラグの設定とホームロケーションレジスタの切り替えとの関係については特に記載していない。しかしながら、ビジターロケーションレジスタがホームロケーションレジスタの切替えを検出した際に、自ビジターロケーションレジスタのエリア内に在圏する全ての移動端末の認証フラグを「０」に設定するようにしてもよい。これにより、前記切替えの際に位置情報が欠落した端末をシステム側で自律的に救済することが可能となる。
【００９０】
また、本実施例では、ホームロケーションレジスタの切替えの有無に関わらず、「位置登録後の第一回目の発信時認証」の際に必ず位置登録情報の確認・訂正を行っているが、通常時には認証フラグの初期値を全て「１」にしておき、ホームロケーションレジスタの切り替えが行われた場合に当該認証フラグをすべて「０」に設定するようにしてもよい。これによりホームロケーションレジスタの切替えが行われた場合にのみ位置登録情報の確認・訂正が行われる。その結果、位置登録情報確認に関わるホームロケーションレジスタの処理負荷およびネットワークのトラヒック増加等を抑えることが可能になる。
【００９１】
さらに、本実施例では位置登録の際に認証フラグを設定し、その設定値に基づいて位置登録情報を確認・訂正する構成をとっている。このことから、本実施例は本来的にホームロケーションレジスタ切替との関連性を有さないことが分かる。従って、本実施例をホームロケーションレジスタの切替時に係わらず位置情報が欠落した移動端末の一般的な救済方法として適用することが可能である。
【００９２】
なお、これまでは移動通信システム用制御信号用プロトコルとしてＩＳ−４１−Ｃを想定しているが、同様の機能を持つものであれば他の制御信号用プロトコルが用いられてもよい。さらに、上記実施例では各ビジターロケーションレジスタはただ１つの位置登録エリアのみを管理するようにしているが、複数の位置登録エリアを管理してもよい。
【００９３】
【発明の効果】
以上述べたように、本発明によれば障害によりホームロケーションレジスタに登録されている情報に誤りが発生しても、移動端末の新たな位置登録を待たずに、システム側で移動端末の最新の位置情報を獲得することが可能となる。その結果、位置登録情報に誤りが発生した移動端末へ長時間着信ができなくなることを回避することが可能となる。
【図面の簡単な説明】
【図１】移動通信網の一構成例を示した図である。
【図２】現用ホームロケーションレジスタに障害が発生した場合の一例を示した図である。
【図３】従来の位置登録シーケンスの一例を示した図である。
【図４】従来の着信シーケンスの一例を示した図である。
【図５】本発明によるホームロケーションレジスタの構成例を示した図である。
【図６】本発明による着信シーケンの一例（１）を示した図である。
【図７】ホームロケーションレジスタにおけるルーチング情報取得部の制御フロー例を示した図である。
【図８】ホームロケーションレジスタにおける再ルーチング情報取得部の制御フロー例を示した図である。
【図９】ビジターロケーションレジスタの配置形態と配置リストの一例を示した図である。
【図１０】ビジターロケーションレジスタ配置リストの別の例（１）を示した図である。
【図１１】ビジターロケーションレジスタ配置リストの別の例（２）を示した図である。
【図１２】本発明による着信を可能とするビジターロケーションレジスタの一構成例を示した図である。
【図１３】本発明による着信シーケンの一例（２）を示した図である。
【図１４】ビジターロケーションレジスタにおけるルーチング情報取得部の制御フロー例を示した図である。
【図１５】ビジターロケーションレジスタにおける再ルーチング情報取得部の制御フロー例を示した図である。
【図１６】本発明によるホームロケーションレジスタ切替え時における位置登録情報の確認構成例を示した図である。
【図１７】本発明による位置登録情報の確認シーケンの一例（１）を示した図である。
【図１８】ビジターロケーションレジスタにおける位置情報救済処理部の制御フロー例を示した図である。
【図１９】ホームロケーションレジスタにおける位置情報確認処理部の制御フロー例を示した図である。
【図２０】本発明による発信時に自律的に位置登録を訂正する構成の一例を示した図である。
【図２１】本発明による位置登録シーケンの一例を示した図である。
【図２２】ビジターロケーションレジスタにおける位置登録制御フローの一例を示した図である。
【図２３】本発明による発信シーケンの一例を示した図である。
【図２４】ビジターロケーションレジスタにおける認証要求処理フロー例（１）を示した図である。
【図２５】ビジターロケーションレジスタにおける認証要求処理フロー例（２）を示した図である。
【図２６】ビジターロケーションレジスタにおける認証要求処理フロー例（３）を示した図である。
【図２７】ホームロケーションレジスタにおける認証処理フロー例（１）を示した図である。
【図２８】ホームロケーションレジスタにおける認証処理フロー例（２）を示した図である。
【符号の説明】
１…現用ホームロケーションレジスタ
２…待機ホームロケーションレジスタ
３…ネットワーク
４、５…エリア
６，８…移動交換機
７、９…ビジターロケーションレジスタ
１０…移動端末
３１、５１…ビジターロケーションレジスタ選択部
３２、５２…再ルーチング情報取得処理部
３３、５３…タイマー延長要求処理部
３４…位置情報確認処理部
４３…再ルーチング情報取得部
５４…位置情報救済処理部
【図１】
0003786538.tif 000002
【図２】
0003786538.tif 000003
【図３】
0003786538.tif 000004
【図４】
0003786538.tif 000005
【図５】
0003786538.tif 000006
【図６】
0003786538.tif 000007
【図７】
0003786538.tif 000008
【図８】
0003786538.tif 000009
【図９】
0003786538.tif 000010
【図１０】
0003786538.tif 000011
【図１１】
0003786538.tif 000012
【図１２】
0003786538.tif 000013
【図１３】
0003786538.tif 000014
【図１４】
0003786538.tif 000015
【図１５】
0003786538.tif 000016
【図１６】
0003786538.tif 000017
【図１７】
0003786538.tif 000018
【図１８】
0003786538.tif 000019
【図１９】
0003786538.tif 000020
【図２０】
0003786538.tif 000021
【図２１】
0003786538.tif 000022
【図２２】
0003786538.tif 000023
【図２３】
0003786538.tif 000024
【図２４】
0003786538.tif 000025
【図２５】
0003786538.tif 000026
【図２６】
0003786538.tif 000027
【図２７】
0003786538.tif 000028
【図２８】
0003786538.tif 000029